(57)【特許請求の範囲】
【請求項１】
対向配置された複数の空調室外機の各外気吸込口よりも上方位置に架け渡され、前記空調室外機間の空間を上下に遮熱する遮熱シートを有しており、
前記遮熱シートの両端部には一対のシート取付部材が固定されており、前記空調室外機に設けられた前記空調室外機用遮熱具を係止するための隙間に差し込まれて、振動時に脱落可能なように係止する差込係止部が形成されている空調室外機用遮熱具。 
【請求項２】
前記遮熱シートは、一端部から他端部にかけて傾斜されている請求項１に記載の空調室外機用遮熱具。 
【請求項３】
前記遮熱シートの傾斜方向下方側に固定された前記シート取付部材における前記遮熱シートの端部近傍位置には、水を排水する排水用小孔が形成されている請求項１または請求項２のいずれかに記載の空調室外機用遮熱具。 
【請求項４】
前記隙間の内部に設けられた当接部材よりも大きい幅で外端側に凹状に開口され、前記当接部材に当接して横ずれを防止する横ずれ防止凹部が形成されている請求項１から請求項３のいずれかに記載の空調室外機用遮熱具。 
【請求項５】
外気吸込口を対向させた一対の空調室外機が複数対並列に配置されているとともに、請求項１から請求項４のいずれかに記載の空調室外機用遮熱具が前記各対となる空調室外機間に架け渡されている空調室外機。
【発明の詳細な説明】
【技術分野】
【０００１】
本発明は、空調室外機の遮熱具に関し、特に外気吸込口付近の遮熱を行うのに好適な空調室外機用遮熱具に関する。
【背景技術】
【０００２】
近年、ビルの高層化に伴って屋上に設置される空調室外機の設置密度が高くなっている。そのため、特に気温の高い夏季のビルの屋上では、空調室外機の吹出口からの放熱や直射日光によって、空調室外機温度およびその周囲の雰囲気温度が高まり、空調室外機の放熱特性が下がることで、冷房能力が著しく低下し、さらに冷房能力を上げて消費電力を浪費するという悪循環が起こっている。
【０００３】
一方、実用新案登録第３１４１４０３号公報（特許文献１）には、発泡樹脂ボードとこの発泡樹脂ボードの一面に積層された金属層を含む反射層とから構成したエアコン室外機用シェードをエアコン室外機の上面に載置することで直射日光を遮る方法が開示されている。
【０００４】
また、特開２０１２−１１２５６５号公報（特許文献２）には、室外機が有する熱交換器と、室外機が設置された床面を含む周辺に散水することにより、室外機設置場所全体の温度を低下させる方法が開示されている。
【先行技術文献】
【特許文献】
【０００５】
【特許文献１】実用新案登録第３１４１４０３号公報
【特許文献２】特開２０１２−１１２５６５号公報
【発明の概要】
【発明が解決しようとする課題】
【０００６】
しかしながら、特許文献１に開示された室外機用シェードは、反射層がその金属層によって日光を反射し、断熱性を有する発泡樹脂ボードが金属層側からの熱伝導を防止するため、エアコン室外機自体の温度上昇を抑制することはできるが、エアコン室外機の外気吸込口から吸い込まれる空気が直射日光によって温度上昇することは避けられず、また室外機の設置密度が高い場合には室外機の吹出口からの放熱がこもってしまい、周辺の雰囲気温度がさらに上昇することを防ぐことができないという問題がある。
【０００７】
一方、特許文献２に開示された散水による冷却方法では、室外機設置場所全体の温度を低下させることはできるが、水を使用することから室外機が錆びるといった問題や、散水設備費のコストが高くつくという問題がある。
【０００８】
本発明は、このような問題点を解決するためになされたものであって、複数の空調室外機が設置される場合に、空調室外機の外気吸込口から吸い込まれる空気の温度上昇を抑制することで、空調の節電・省エネ効果を高める空調室外機用遮熱具および空調室外機の設置構成を提供することを目的としている。
【課題を解決するための手段】
【０００９】
本発明に係る空調室外機用遮熱具は、対向配置された複数の空調室外機の各外気吸込口よりも上方位置に架け渡され、前記空調室外機間の空間を上下に遮熱する遮熱シートを有する。
【００１０】
また、本発明の一態様として、遮熱シートは、一端部から他端部にかけて傾斜されていてもよい。
【００１１】
さらに、本発明の一態様として、遮熱シートの両端部には一対のシート取付部材が固定されており、空調室外機に設けられた空調室外機用遮熱具を係止するための隙間に差し込まれて、振動時に脱落可能なように係止する差込係止部が形成されていてもよい。
【００１２】
また、本発明の一態様として、遮熱シートの傾斜方向下方側に固定されたシート取付部材における前記遮熱シートの端部近傍位置には、水を排水する排水用小孔が形成されていてもよい。
【００１３】
また、本発明の一態様として、隙間の内部に設けられた当接部材よりも大きい幅で外端側に凹状に開口され、前記当接部材に当接して横ずれを防止する横ずれ防止凹部が形成されていてもよい。
【００１４】
本発明に係る空調室外機は、外気吸込口を対向させた一対の空調室外機が複数対並列に配置されているとともに、請求項１から請求項４のいずれかに記載の空調室外機用遮熱具が前記各対となる空調室外機間に架け渡されている。  
【発明の効果】
【００１５】
本発明の空調室外機用遮熱具および空調室外機の配置構成によれば、複数の空調室外機が設置される場合に、空調室外機の外気吸込口から吸い込まれる空気の温度上昇を抑制することで、空調の節電・省エネ効果を高めることができる。
【図面の簡単な説明】
【００１６】
【図１】本発明に係る空調室外機用遮熱具を空調室外機に設置した様子を示す斜視図である。
【図２】本実施形態における空調室外機用遮熱具を示す斜視図である。
【図３】本実施形態における空調室外機用遮熱具を示す正面図である。
【図４】図３のＡ−Ａ’線部分拡大図である。
【図５】本実施形態における空調室外機用遮熱具を示す平面図である。
【図６】空調室外機に取り付けられる上金具および下金具と本実施形態における空調室外機用遮熱具を示す斜視図である。
【図７】空調室外機に取り付けられた上金具および下金具の正面図である。
【図８】本発明に係る空調室外機の配置構成を示す斜視図である。
【発明を実施するための形態】
【００１７】
以下、本発明に係る空調室外機用遮熱具の一実施形態について図面を用いて説明する。
【００１８】
本実施形態に係る空調室外機用遮熱具１は、対向配置された複数の空調室外機１０に架け渡して使用されるものであり、図１および図２に示すように、主として、可撓性を有する遮熱シート２と、この遮熱シート２の両端部に固定されている一対のシート取付部材３とから構成されている。以下、本実施形態に係る構成について詳細に説明する。
【００１９】
本実施形態に係る空調室外機用遮熱具１は、図１のような吹出口１１が上部に設けられた空調室外機１０に好適であるほか、吹出口１１が側面部に設けられた空調室外機１０に対しても適用可能なものであり、本実施形態に示される上記タイプの空調室外機１０に限定されるものではなく、全ての空調室外機１０を含む概念である。
【００２０】
本実施形態に係る遮熱シート２は、ポリエチレン製メッシュシートにステンレス薄膜を蒸着させた略矩形状のシートであり、図１に示すように、対向配置された複数の空調室外機１０の各外気吸込口１２よりも上方位置に架け渡されて空調室外機１０間への直射日光を遮光および遮熱する。また、図８に示すように、空調室外機１０を複数台並列に配置するような場合には、遮熱シート２を空調室外機１０の外気吸込口１２と吹出口１１との間に設置することによって、外気吸込口１２と吹出口１１とが仕切られて、直射日光を遮光および遮熱するのみならず、吹出口１１から吹き出された温度の高い空気を再び外気吸込口１２から吸い込ませないようにすることも可能である。なお、遮熱シート２の材質は、上述したようにポリエチレン製メッシュシートにステンレス薄膜を蒸着させたものが遮熱性が高く軽量であるため好ましいが、例えば、塩化ビニルコーティングガラスクロスや不織布等、可撓性および遮熱性を有する材料であれば、適宜変更することができ、軽量性を備えている材質であればより好ましい。
【００２１】
本実施形態に係る遮熱シート２の両端部には、図１および図２に示すように、一対のシート取付部材３が固定されている。このシート取付部材３によって、遮熱シート２を空調室外機１０間に架設して、空調室外機１０間の空間を上下に遮熱する。前記シート取付部材３は、図２乃至図４に示すように、金属製の薄板を折り曲げることで、遮熱シート２に固定されるシート固定部３１と、空調室外機１０に取り付けるための差込係止部３２とを有している。前記差込係止部３２は、空調室外機１０に設けられた空調室外機用遮熱具１を係止するための隙間１５に差し込まれることにより前記空調室外機１０に取り付けられており、地震等の振動時に脱落可能に係止されて使用される。これは、遮熱シート２の可撓性では吸収しきれない程の大きな地震等による振動が生じても、脱落させることにより変形や損傷を回避するための工夫である。
【００２２】
シート取付部材３のシート固定部３１には、図２および図５に示すように、長手方向に略均等間隔で貫通孔３１ａが６箇所形成されている。一方、遮熱シート２をシート固定部３１に固定するための金属製薄板矩形状のシート押部材４には、図２および図５に示すように、シート固定部３１の貫通孔３１ａに対応する位置に貫通孔４ａが６箇所形成されている。そして、図３に示すように、シート固定部３１とシート押部材４とで遮熱シート２の端部を狭持し、これらの貫通孔３１ａ，４ａにリベット５を挿通して固定している。なお、シート固定部３１およびシート押部材４に形成された貫通孔３１ａ，４ａの位置や数、および固定方法は本実施形態に限定されず、適宜変更することができる。また、シート取付部材３やシート押部材４は風雨にさらされる環境に設置されるため、高耐食性の溶融めっき鋼板であることが好ましいが、空調室外機用遮熱具１としての強度を有する素材であれば例えばステンレス等であってもよく、適宜変更することができる。
【００２３】
遮熱シート２の両端部に固定されている各シート取付部材３は、図２乃至図５に示すように、遮熱シート２に対して、それぞれ上下反対向きに固定されていることが好ましい。これにより、図３に示すように、空調室外機１０間に遮熱シート２が一端部から他端部にかけて傾斜されている状態で架け渡されるため、雨水が遮熱シート２上に貯まりにくく、雨が降った際に空調室外機用遮熱具１を空調室外機１０に設けられた隙間１５から脱落しにくくすることができる。そのほか、各シート取付部材３は同一形状に形成されているため、空調室外機用遮熱具１を上下左右の向きに関係なく空調室外機１０に設置することができるという利点もある。なお、本実施形態では、シート取付部材３の固定の仕方によって遮熱シート２を容易に傾斜させることができるため、一方の空調室外機から他方の空調室外機の方向への傾斜となっているが、遮熱シート２の傾斜方向は本実施形態に限定されず、適宜変更することができる。例えば幅方向の一端部から他端部へ傾斜させるようにシート取付部材３を構成し、空調室外機１０間に架設してもよい。
【００２４】
また、図２および図５に示すように、遮熱シート２の傾斜方向下方側に固定されたシート取付部材３における遮熱シート２の端部近傍位置には、水を排水する排水用小孔３３が形成されている。このように、シート取付部材３に排水用小孔３３を設けることにより、傾斜させた遮熱シート２の端部近傍位置に貯まった雨水を排出し、空調室外機用遮熱具１を空調室外機１０に設けられた隙間１５から脱落する可能性をさらに低くすることができるとともに、シート取付部材３やシート押部材４を腐食しにくくすることができる。なお、前記排水用小孔３３は、少なくとも遮熱シート２の傾斜方向下方側に固定されたシート取付部材３に設けられていればよいが、本実施形態のように遮熱シート２の両端部に固定されている各シート取付部材３に設けられていてもよく、また全く設けられていなくてもよい。
【００２５】
シート取付部材３の差込係止部３２には、図２，図５および図６に示すように、空調室外機１０に設けられた隙間１５の内部に設けられた当接部材１６であるボルト１６よりも大きい幅で外端側に凹状に開口され、前記当接部材１６に当接して横ずれを防止する横ずれ防止凹部３２ａが３箇所形成されている。なお、横ずれ防止凹部３２ａは、ボルト１６等の当接部材１６に当接して横ずれを防止することができれば、本実施形態に示されるような略Ｕ字状以外の形状であってもよく、またその数も本実施形態に限定されず、適宜変更することができる。
【００２６】
一方、空調室外機１０には、図６および図７に示すように、略Ｌ字状に形成された上金具１３と下金具１４とが面を対向させた状態で固定されており、この上金具１３と下金具１４との間の隙間１５に、シート取付部材３の差込係止部３２が差し込まれて脱落可能に係止される。これにより、地震等の振動で空調室外機１０間に架け渡された空調室外機用遮熱具１が容易に脱落して吸収しきれない揺れから逃れるため、空調室外機用遮熱具１が破損することを防ぐことができる。また、この上金具１３と下金具１４の対向する面に、シート取付部材３の横ずれ防止凹部３２ａが当接する当接部材１６としてボルト１６が固定されている。なお、当接部材１６は、シート取付部材３の横ずれ防止凹部３２ａが当接して横ずれを防止することができれば、本実施形態に示されるようなボルトに限定されず、適宜変更することができる。
【００２７】
つぎに、本発明に係る空調室外機１０の配置構成の一実施形態について図８を用いて説明する。
【００２８】
本実施形態に係る空調室外機１０の配置構成は、図８に示すように、外気吸込口１２を対向させた一対の空調室外機１０が複数対並列に配置されているとともに、本実施形態に係る空調室外機用遮熱具１が前記各対となる空調室外機１０間に架け渡されてなる。このような空調室外機１０の配置構成とすることにより、数十台から数百台もの空調室外機１０を密集させて設置しても、効率的に遮熱することができるため、空調室外機１０の外気吸込口１２から吸い込まれる空気の温度上昇を抑制し、空調の節電・省エネ効果を高めることができる。
【００２９】
以上のように、本発明によれば、以下のような作用効果を奏することができる。
１．空調室外機１０間への直射日光を遮光および遮熱することにより、空調室外機１０の外気吸込口１２周辺の空気の温度上昇が抑制されるため、空調の節電・省エネ効果を高めることができる。
２．空調室外機１０を複数台並列に配置するような場合には、遮熱シート２を空調室外機１０の外気吸込口１２と吹出口１１との間に設置することによって、外気吸込口１２と吹出口１１とが仕切られて、直射日光を遮光および遮熱するのみならず、吹出口１１から吹き出された温度の高い空気を再び外気吸込口１２から吸い込ませないため、空調の節電・省エネ効果を高めることができる。
３．空調室外機１０間に遮熱シート２が傾斜を有した状態で架け渡されるため、雨水が遮熱シート２上に貯まりにくく、雨が降った際に空調室外機用遮熱具１を脱落しにくくすることができる。
４．シート取付部材３に排水用小孔３３を設けることにより、傾斜した遮熱シート２の下方端部近傍に貯まった雨水を排出し、空調室外機用遮熱具１の脱落可能性をさらに低くすることができるとともに、シート取付部材３やシート押部材４を腐食しにくくすることができる。
５．差込係止部３２を空調室外機１０に設けられた隙間１５に差し込んで脱落可能に係止することにより、地震等の揺れによって、空調室外機１０間に架け渡された空調室外機用遮熱具１が容易に脱落して空調室外機用遮熱具１が破損することを防ぐことができる。
６．横ずれ防止凹部３２ａが当接部材１６に当接することによって、空調室外機用遮熱具１が横ずれすることを防ぐことができる。
７．外気吸込口１２を対向させた一対の空調室外機１０が複数対並列に配置された構成において、空調室外機用遮熱具１を各対となる空調室外機１０間に架け渡すことにより、数十台から数百台もの空調室外機１０を密集させて設置しても、効率的に遮熱することができるため、空調室外機１０の外気吸込口１２から吸い込まれる空気の温度上昇を抑制し、空調の節電・省エネ効果を高めることができる。
【００３０】
なお、本発明に係る空調室外機用遮熱具は、前述した実施形態に限定されるものではなく、適宜変更することができる。
【００３１】
例えば、本実施形態において、遮熱シート２の両端部には、差込係止部３２を有するシート取付部材３が設けられているが、少なくとも一方のシート取付部材３のみが差込係止部３２を有していればよく、その際、他方のシート取付部材３は、空調室外機１０に固定されていてもよい。
【００３２】
また、図１に示すように、３つの空調室外機用遮熱具１が一対の空調室外機１０間に架け渡されるほか、図８に示すように、１つの空調室外機用遮熱具１が一対の空調室外機１０間に架け渡されるように構成してもよく、さらには図８に示すような複数対の空調室外機１０が並列されている場合に、幅の大きな遮熱シート２を作製して複数対の空調室外機１０に跨って遮熱するように構成してもよく、空調室外機用遮熱具１の幅や大きさは適宜変更することができる。
【符号の説明】
【００３３】
１  空調室外機用遮熱具
２  遮熱シート
３  シート取付部材
３１  シート固定部
３１ａ  貫通孔
３２  差込係止部
３２ａ  横ずれ防止凹部
３３  排水用小孔
４  シート押部材
４ａ  貫通孔
５  リベット
１０  空調室外機
１１  吹出口
１２  外気吸込口
１３  上金具
１４  下金具
１５  隙間
１６  当接部材（ボルト）
【図１】
0005497119.tif 000002
【図２】
0005497119.tif 000003
【図３】
0005497119.tif 000004
【図４】
0005497119.tif 000005
【図５】
0005497119.tif 000006
【図６】
0005497119.tif 000007
【図７】
0005497119.tif 000008
【図８】
0005497119.tif 000009